(57)【要約】      （修正有）【課題】印鑑に装着することで軽い力で楽で綺麗に正確に押印できる印鑑カバーを提供する。【解決手段】本発明に係る印鑑アダプターは、印鑑ａを挿入自在の印鑑挿入孔を穿設した本体部１Ａからなり、前記印鑑挿入孔は、前記本体部１Ａの一方の外側面から対向する他方の外側面近傍に向けて形成すると共に、挿入される印鑑ａの長さの７５％以上が収納されるように形成し、しかも、前記他方の外側面近傍から前記他方の外側面にかけて前記印鑑挿入孔より径の小さい空気孔３を貫通して穿設したことを特徴とする。【選択図】図２
2020142497.tif 000002
【特許請求の範囲】
【請求項１】
印鑑を挿入自在の印鑑挿入孔を穿設した本体部からなり、
前記印鑑挿入孔は、前記本体部の一方の外側面から対向する他方の外側面近傍に向けて形成すると共に、挿入される印鑑の長さの７５％以上が収納されるように形成し、
しかも、前記他方の外側面近傍から前記他方の外側面にかけて前記印鑑挿入孔より径の小さい空気孔を貫通して穿設したことを特徴とする印鑑アダプター。
【請求項２】
前記本体部には、挿入された印鑑の向きが明示される方向目印を形成したことを特徴とする請求項１に記載の印鑑アダプター。
【請求項３】
前記本体部は、掌で容易に把持できる程度の略球状に形成したことを特徴とする請求項１または２に記載の印鑑アダプター。
【請求項４】
前記本体部は、弾性部材からなることを特徴とする請求項１乃至３の何れか１項に記載の印鑑アダプター。
【請求項５】
前記本体部は、透光性を有することを特徴とする請求項１乃至４の何れか１項に記載の印鑑アダプター。
【発明の詳細な説明】
【技術分野】
【０００１】  本発明は、印鑑に装着することで軽い力で楽で綺麗に正確に押印できる印鑑カバーに関する。
【背景技術】
【０００２】  従来の細長い印鑑は、把持し押印する際に印鑑の側面部を任意の指先で支え無駄な力が加わり傾きやすいため、印鑑に均等な力が加わらず、印字にずれやにじみが生じることが多々あった。また押印時、印面が丸形の印鑑は印鑑の向きが定まりにくく、押印時印字の角度が傾いてしまう恐れがあった。【０００３】  そこで、例えば特許文献１に係る技術が開示されており、本技術によれば、ゴム・合成樹脂等の小さな球体状または卵状の本体部を印鑑頭部に装着することで、押印時による手のひらへの刺激・疲労の緩和および能率的な押印を可能にするとある。【０００４】  また、例えば特許文献２に係る技術が開示されており、本技術によれば、透明なプラスチック板に、印鑑を挿入する透明な円筒穴部分を設け、印鑑とプラスチック板に設けた目印に合わせて印鑑をプラスチック板の円筒穴部に通すように押印することで、傾きのない印字を可能にするとある。
【先行技術文献】
【特許文献】
【０００５】
【特許文献１】実開昭５１−１０５５０７号公報
【特許文献２】実開昭６４−０１６３５４号公報
【発明の概要】
【発明が解決しようとする課題】
【０００６】  確かに特許文献１に係る技術は、本体部もコンパクトで、印鑑に装着することで押印時の手の負担の軽減と、より能率的な連続した押印が可能となる。【０００７】  しかしながら、当該技術では、印鑑の側面部に無駄な力が入る、という問題を解決できてはおらず、また印字角度が傾いてしまう問題点も解決はできない。【０００８】  また、特許文献２に係る技術は、透明な板を用いることで印字が傾いてしまう問題をかなり軽減できると考えられる。【０００９】  しかしながら、当該技術では、押印時に均等に力が入りにくいという問題を解決できてはおらず、また印鑑自体にも目印を設ける必要があり、高価な印鑑などに安易に使用できないという問題がある。【００１０】  本発明は、以上のような事情に鑑みてなされたものであり、印鑑に装着することで軽い力で楽で綺麗に正確に押印できる印鑑カバーを提供することにある。
【課題を解決するための手段】
【００１１】  以上のような目的を達成するために、本発明は以下の技術を提供する。【００１２】  請求項１に係る発明では、印鑑を挿入自在の印鑑挿入孔を穿設した本体部からなり、前記印鑑挿入孔は、前記本体部の一方の外側面から対向する他方の外側面近傍に向けて形成すると共に、挿入される印鑑の長さの７５％以上が収納されるように形成し、しかも、前記他方の外側面近傍から前記他方の外側面にかけて前記印鑑挿入孔より径の小さい空気孔を貫通して穿設したことを特徴とする印鑑アダプターを提供せんとする。【００１３】  請求項２に係る発明では、前記本体部には、挿入された印鑑の向きが明示される方向目印を形成したことを特徴とする請求項１に記載の印鑑アダプターを提供せんとする。【００１４】  請求項３に係る発明では、前記本体部は、掌で容易に把持できる程度の略球状に形成したことを特徴とする請求項１または２に記載の印鑑アダプターを提供せんとする。【００１５】  請求項４に係る発明では、前記本体部は、弾性部材からなることを特徴とする請求項１乃至３の何れか１項に記載の印鑑アダプターを提供せんとする。【００１６】  請求項５に係る発明では、前記本体部は、透光性を有することを特徴とする請求項１乃至４の何れか１項に記載の印鑑アダプターを提供せんとする。
【発明の効果】
【００１７】  請求項１記載の発明によれば、印鑑を挿入自在の印鑑挿入孔を穿設した本体部からなり、印鑑挿入孔は、本体部の一方の外側面から対向する他方の外側面近傍に向けて形成すると共に、挿入される印鑑の長さの７５％以上が収納されるように形成し、しかも、他方の外側面近傍から他方の外側面にかけて印鑑挿入孔より径の小さい空気孔を貫通して穿設したことより、印鑑を指先だけではなく手のひら全体で把持し、印鑑により強く・均等に、力を加えることができ、また空気孔を設けることにより印鑑の脱着を容易にすることができる。【００１８】  請求項２記載の発明によれば、本体部には、挿入された印鑑の向きが明示される方向目印を形成したことより、押印時に印鑑自体に目印を設けずに印字が傾く問題を解消することができる。【００１９】  請求項３記載の発明によれば、本体部は、掌で容易に把持できる程度の略球状に形成したことより、手のひら全体で印鑑に力を加えることができ、印字のずれや薄い印字を軽減することができる。【００２０】  請求項４記載の発明によれば、本体部は、弾性部材からなることより、押印時の手の負担を軽減することができ、また押印時、本体部を把持するために維持した手がずれることを防止することができる。【００２１】  請求項５記載の発明によれば、本体部は、透光性を有することより、押印時に本体部で押印部分が隠れてしまうことを防ぐことができる。
【図面の簡単な説明】
【００２２】
【図１】本実施形態に係る印鑑カバーに印鑑を挿入した状態を示す底面図である。
【図２】本実施形態に係る印鑑カバーに印鑑を挿入した状態を示す正面断面図である。
【図３】図２において調整部材を付加した状態を示す正面断面図である。
【発明を実施するための形態】
【００２３】  本発明の実施形態に係る印鑑アダプターの要旨は、印鑑を挿入自在の印鑑挿入孔を穿設した本体部からなり、印鑑挿入孔は、本体部の一方の外側面から対向する他方の外側面近傍に向けて形成すると共に、挿入される印鑑の長さの７５％以上が収納されるように形成し、しかも、他方の外側面近傍から他方の外側面にかけて印鑑挿入孔より径の小さい空気孔を貫通して穿設したことを特徴とする。すなわち、印鑑に装着することで軽い力で楽で綺麗に正確に押印できる印鑑カバーの提供を図ろうとするものである。
【００２４】  以下、本発明に係る印鑑アダプターの一実施形態について図面を示して説明する。
【００２５】  本実施形態に係る印鑑アダプター１は、図１、図２に示すように、印鑑ａを挿入自在の印鑑挿入孔２を穿設した本体部１Ａからなり、印鑑挿入孔２は、本体部１Ａの一方の外側面１０から対向する他方の外側面１１近傍に向けて形成すると共に、挿入される印鑑ａの長さの７５％以上が収納されるように形成し、しかも、他方の外側面１１近傍から他方の外側面１１にかけて印鑑挿入孔２より径の小さい空気孔３を貫通して穿設している。
【００２６】  また、本体部１Ａには、挿入された印鑑ａの向きが明示される方向目印４を形成すると共に、掌で容易に把持できる程度の略球状に形成している。
【００２７】  また、本実施形態に係る印鑑アダプター１は、本体部１Ａを弾性部材で形成し、しかも、透光性を有するよう構成している。
【００２８】  具体的には、本体部１Ａは全体をゴムで形成し、手のひら全体で把持できるほどの大きさの球状または楕円状で、一方の外側面１０から対向する他方の外側面１１近傍に向けて印鑑ａの７５％以上を挿入できる印鑑挿入孔２を穿設している。
【００２９】  なお、本実施形態では本体部１Ａ全体をゴムで形成しているが、掌に触れる外側面のみ弾性部材で形成し、内部を他の部材で形成する等、種々の変形・変更が可能である。
【００３０】  また、本実施形態では本体部１Ａを略球状としているが、掌全体で把持できる程度の大きさと形状であれば本実施形態に限定されるものではない。
【００３１】  さらに、他方の外側面１１近傍から他方の外側面１１にかけてより小さい径の空気孔３を穿設している。
【００３２】  また、方向目印４は、印鑑挿入孔２の一方の外側面１０の開口縁から空気孔３の他方の外側面１１の開口縁に渡り連続した線状の溝を刻設している。
【００３３】  なお、本実施形態では方向目印４を上述のように形成しているが、刻設された溝を着色したり、線状ではなく点線状や他の形状であってもよく、更に、刻設ではなく単に記載等の表示であってもよく、印鑑ａの方向を規定できれば本発明の要旨の範囲内で種々の変形・変更が可能である。
【００３４】  また、印鑑挿入孔２の深さは印鑑ａの印面と印鑑挿入孔２の一方の外側面１０とが押印時に面一になる程度が望ましいが、このような状態となるよう、本発明では図３に示すように印鑑挿入孔２と略同径で印鑑挿入孔２に挿入自在の調整部材２０を用いることもできる。
【００３５】  調整部材２０は、印鑑挿入孔２に挿入自在であれば材質は問わないが、印鑑ａを損傷させないためにゴム等の弾性部材を用いることが望ましい。
【００３６】  また、調整部材２０の抜去が困難な場合は、空気孔３から長尺の棒材を押し込むことで抜去することができる。
【００３７】  本体部１Ａを弾性部材で形成することで印面と印鑑挿入孔２の一方の外側面１０とが押印時に面一となり、一方の外側面１０が押印対象物に密着し押印時の鉛直方向の傾きを確実に防止することができる。
【００３８】  しかも、本体部１Ａが透光性を有することで印鑑ａの位置と押印対象物の押印箇所の位置関係の視認性が阻害されないため正確な位置に押印することができる。
【００３９】  以上説明したように本発明の実施形態に係る印鑑カバー１は構成しており、印鑑ａを挿入自在の印鑑挿入孔２を穿設した本体部１Ａからなり、印鑑挿入孔２は、本体部１Ａの一方の外側面１０から対向する他方の外側面１１近傍に向けて形成すると共に、挿入される印鑑ａの長さの７５％以上が収納されるように形成し、しかも、他方の外側面１１近傍から他方の外側面１１にかけて印鑑挿入孔２より径の小さい空気孔３を貫通して穿設したことより、印鑑ａを指先だけではなく手のひら全体で把持し、印鑑ａにより強く・均等に、力を加えることができ、また空気孔３を設けることにより印鑑ａの脱着を容易にすることができる。
【００４０】  また、本体部１Ａには、挿入された印鑑ａの向きが明示される方向目印４を形成したことより、押印時に印鑑ａ自体に目印を設けずに印字が傾く問題を解消することができる。
【００４１】  また、本体部１Ａは、掌で容易に把持できる程度の略球状に形成したことより、手のひら全体で印鑑ａに力を加えることができ、印字のずれや薄い印字を軽減することができる。
【００４２】  更に、本体部１Ａは、弾性部材からなることより、押印時の手の負担を軽減することができ、また押印時、本体部１Ａを把持するために維持した手がずれることを防止することができる。
【００４３】  しかも、本体部１Ａは、透光性を有することより、押印時に本体部１Ａで押印部分が隠れてしまうことを防ぐことができる。
【００４４】  以上、本発明の好ましい実施形態について説明したが、本発明は係る特定の実施形態に限定されるものではなく、特許請求の範囲に記載された本発明の要旨の範囲内において、種々の変形・変更が可能である。
【符号の説明】
【００４５】  ａ  印鑑
１  印鑑カバー
１Ａ  本体部
２  印鑑挿入孔
３  空気孔
４  方向目印
１０  一方の外側面
１１  他方の外側面
２０  調整部材
【図１】
2020142497.tif 000003
【図２】
2020142497.tif 000004
【図３】
2020142497.tif 000005
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
印鑑を挿入自在の印鑑挿入孔を穿設した弾性部材で形成した本体部からなり、
前記本体部は、掌で容易に把持できる程度の略球状に形成すると共に挿入された印鑑の向きが明示される方向目印を形成し、
前記印鑑挿入孔は、前記本体部の一方の外側面から対向する他方の外側面近傍に向けて形成すると共に、挿入される印鑑の長さの７５％以上が収納されて印面と前記印鑑挿入孔の前記一方の外側面とが押印時に面一となるように形成し、
更に、前記他方の外側面近傍から前記他方の外側面にかけて前記印鑑挿入孔より径の小さい空気孔を貫通して穿設し、
しかも、前記方向目印は、前記印鑑挿入孔の前記一方の外側面の開口縁から前記空気孔の前記他方の外側面の開口縁に渡り連続して形成したことを特徴とする印鑑アダプター。
【請求項２】
前記本体部は、印鑑の位置と押印対象物の押印箇所の位置関係が視認できるよう透光性を有することを特徴とする請求項１に記載の印鑑アダプター。
【手続補正２】
【補正対象書類名】明細書
【補正対象項目名】００１２
【補正方法】変更
【補正の内容】
【００１２】  請求項１に係る発明では、印鑑を挿入自在の印鑑挿入孔を穿設した弾性部材で形成した本体部からなり、前記本体部は、掌で容易に把持できる程度の略球状に形成すると共に挿入された印鑑の向きが明示される方向目印を形成し、前記印鑑挿入孔は、前記本体部の一方の外側面から対向する他方の外側面近傍に向けて形成すると共に、挿入される印鑑の長さの７５％以上が収納されて印面と前記印鑑挿入孔の前記一方の外側面とが押印時に面一となるように形成し、更に、前記他方の外側面近傍から前記他方の外側面にかけて前記印鑑挿入孔より径の小さい空気孔を貫通して穿設し、しかも、前記方向目印は、前記印鑑挿入孔の前記一方の外側面の開口縁から前記空気孔の前記他方の外側面の開口縁に渡り連続して形成したことを特徴とする印鑑アダプターを提供せんとする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】  請求項２に係る発明では、前記本体部は、印鑑の位置と押印対象物の押印箇所の位置関係が視認できるよう透光性を有することを特徴とする請求項１に記載の印鑑アダプターを提供せんとする。
【手続補正７】
【補正対象書類名】明細書
【補正対象項目名】００１７
【補正方法】変更
【補正の内容】
【００１７】  請求項１記載の発明によれば、印鑑を挿入自在の印鑑挿入孔を穿設した弾性部材で形成した本体部からなり、本体部は、掌で容易に把持できる程度の略球状に形成すると共に挿入された印鑑の向きが明示される方向目印を形成し、印鑑挿入孔は、本体部の一方の外側面から対向する他方の外側面近傍に向けて形成すると共に、挿入される印鑑の長さの７５％以上が収納されて印面と印鑑挿入孔の一方の外側面とが押印時に面一となるように形成し、更に、他方の外側面近傍から他方の外側面にかけて印鑑挿入孔より径の小さい空気孔を貫通して穿設し、しかも、方向目印は、印鑑挿入孔の一方の外側面の開口縁から空気孔の他方の外側面の開口縁に渡り連続して形成したことより、印鑑を指先だけではなく手のひら全体で把持し、印鑑により強く・均等に、力を加えることができ、また空気孔を設けることにより印鑑の脱着を容易にすることができる。
【手続補正８】
【補正対象書類名】明細書
【補正対象項目名】００１８
【補正方法】変更
【補正の内容】
【００１８】また、本体部には、挿入された印鑑の向きが明示される方向目印を印鑑挿入孔の一方の外側面の開口縁から空気孔の他方の外側面の開口縁に渡り連続して形成したことより、押印時に印鑑自体に目印を設けずに印字が傾く問題を解消することができる。
【手続補正９】
【補正対象書類名】明細書
【補正対象項目名】００１９
【補正方法】変更
【補正の内容】
【００１９】また、本体部は、掌で容易に把持できる程度の略球状に形成したことより、手のひら全体で印鑑に力を加えることができ、印字のずれや薄い印字を軽減することができる。
【手続補正１０】
【補正対象書類名】明細書
【補正対象項目名】００２０
【補正方法】変更
【補正の内容】
【００２０】更に、本体部は、弾性部材からなることより、押印時の手の負担を軽減することができ、また押印時、本体部を把持するために維持した手がずれることを防止することができ、しかも、印面と印鑑挿入孔の一方の外側面とが押印時に面一となるため、一方の外側面が押印対象物に密着し押印時の鉛直方向の傾きを確実に防止することができる。
【手続補正１１】
【補正対象書類名】明細書
【補正対象項目名】００２１
【補正方法】変更
【補正の内容】
【００２１】  請求項２記載の発明によれば、本体部は、印鑑の位置と押印対象物の押印箇所の位置関係が視認できるよう透光性を有することより、押印時に本体部で押印部分が隠れてしまうことを防ぐことができる。
【手続補正１２】
【補正対象書類名】図面
【補正対象項目名】全図
【補正方法】変更
【補正の内容】
【図１】
2020142497.tif 000006
【図２】
2020142497.tif 000007
【図３】
2020142497.tif 000008